(57)【要約】【課題】  簡単な構成で複数の電子機器を相互複数の回転方向へ回動できると共に、相互間に電気的な信号交換が可能に連結できるヒンジ装置及びヒンジ装置に使用される配線部材を提供する。【解決手段】  本発明によるヒンジ装置は、第１の電子機器に回動可能に連結される第１のヒンジ部と、第１のヒンジ部の第１のヒンジ軸に対して所定角度で斜めに連結される第２のヒンジ軸を有する第２のヒンジ部と、第１のヒンジ軸と第２のヒンジ軸を順次的に経由し第１及び第２のヒンジ軸の各々の外周面を巻き回した状態で第１及び第２の電子機器を連結する配線部材とを含むことを特徴とする。【選択図】      図３
2004343085.tif 000002
【特許請求の範囲】
【請求項１】
ヒンジ装置により相互連結される第１及び第２の電子機器を電気的に連結させ、前記第１及び第２の電子機器は、その各々が携帯用機器本体とディスプレーユニットであり、前記ヒンジ装置は、前記第１の電子機器に回動可能に連結される第１のヒンジ部と前記第１のヒンジ部の第１のヒンジ軸に所定角度で斜めに連結される第２のヒンジ軸を具備する第２のヒンジ部とを含む配線部材において、
前記第１のヒンジ軸の外周面を巻く第１の巻き部と、
前記第２のヒンジ軸の外周面を巻く第２の巻き部と、
前記第１の巻き部と第２の巻き部とを連結する連結部と、を含むことを特徴とする配線部材。
【請求項２】
前記携帯用機器本体の内部に連結されるように前記第１の巻き部に連結される第１の配線部材コネクタと、
前記ディスプレーユニットの内部に連結されるように前記第２の巻き部に連結される第２の配線部材コネクタとをさらに含むことを特徴とする請求項１に記載の配線部材。
【請求項３】
前記連結部は、前記連結部の第１の先端と前記第１の巻き部とを斜めに連結する第１のコーナー部と、
前記連結部の第２の先端と前記第２の巻き部とを斜めに連結する第２のコーナー部とを含むことを特徴とする請求項１に記載の配線部材。
【請求項４】
前記連結部は、第１及び第２のコーナー部を斜めに連結させる第５のコーナー部をさらに含むことを特徴とする請求項３に記載の配線部材。
【請求項５】
前記連結部は、前記第１のコーナー部と第２のコーナー部との間に配置され、前記ディスプレーユニットの回動を検知する第１の検知センサーに連結される第３の配線部材コネクタをさらに含むことを特徴とする請求項３に記載の配線部材。
【請求項６】
前記巻き部の一部に形成され、前記ディスプレーユニットが前記携帯用機器本体に対して少なくとも一つ以上の方向へ回転される時、前記巻き部が前記携帯用機器本体との接触により破損されることを防止するコーティング剤をさらに含むことを特徴とする請求項１に記載の配線部材。
【請求項７】
前記第１及び第２の巻き部は、前記第１及び第２のヒンジ軸を少なくとも１．５回巻くことができる長さで形成されることを特徴とする請求項１に記載の配線部材。
【請求項８】
第２の巻き部は、前記第２のヒンジ軸を少なくとも３．５回巻くことができる長さで形成されることを特徴とする請求項１に記載の配線部材。
【請求項９】
前記第２の配線部材コネクタと前記第２の巻き部を斜めに連結させる第４のコーナー部と、
前記第４のコーナー部の内側に設置され、前記第２の巻き部が前記第２のヒンジ軸を巻く時、前記第４のコーナー部に作用する剪断応力により前記第４のコーナー部が損傷されることを防止する補強部材をさらに含むことを特徴とする請求項２に記載の配線部材。
【請求項１０】
前記携帯用機器の内部に連結されるように前記第１の巻き部に連結される第１の配線部材コネクタと、
前記ディスプレーユニットの内側に連結されるように前記第２の巻き部に連結される第２の配線部材コネクタと、
前記第１の配線部材コネクタを前記第１のヒンジ軸の主軸方向へ整列させる第３のコーナー部とをさらに含むことを特徴とする請求項１に記載の配線部材。
【請求項１１】
前記第３のコーナー部に設置され、前記第２の巻き部が前記第２のヒンジ軸を巻く時、前記第３のコーナー部に作用する剪断応力により前記第３のコーナー部が損傷されることを防止する金属パターンをさらに含むことを特徴とする請求項１０に記載の配線部材。
【請求項１２】
第１の電子機器に回動可能に連結される第１のヒンジ部と、
前記第１のヒンジ部の第１のヒンジ軸に斜めに連結される第２のヒンジ軸を具備する第２のヒンジ部と、
前記第１及び第２のヒンジ軸の各々の外周面を巻き回した状態で前記第１及び第２のヒンジ軸を順次的に経由して第１及び第２の電子機器を連結する配線部材とを含むことを特徴とするヒンジ装置。
【請求項１３】
前記配線部材は、前記第１のヒンジ軸の外周面を巻く第１の巻き部と、
前記第２のヒンジ軸の外周面を巻く第２の巻き部と、
前記第１の巻き部と第２の巻き部とを連結させる連結部とを含むことを特徴とする請求項１２に記載のヒンジ装置。
【請求項１４】
前記第１及び第２の電子機器は、各々携帯用機器とディスプレーユニットであり、
前記携帯用機器の内部に連結されるように前記第１の巻き部に連結される第１の配線部材コネクタと、
前記ディスプレーユニットの内部に連結されるように前記第２の巻き部に連結される第２の配線部材コネクタとをさらに含むことを特徴とする請求項１３に記載のヒンジ装置。
【請求項１５】
前記配線部材は、前記連結部の第１の先端と前記第１の巻き部とを連結する第１のコーナー部と、
前記連結部の第２の先端と前記第２の巻き部とを連結する第２のコーナー部とを含むことを特徴とする請求項１３に記載ヒンジ装置。
【請求項１６】
前記連結部は、第１及び第２のコーナー部を斜めに連結させる第５のコーナー部をさらに含むことを特徴とする請求項１５に記載のヒンジ装置。
【請求項１７】
前記第１及び第２の電子機器は、各々携帯用機器とディスプレーユニットであり、
前記連結部は、前記第１のコーナー部と第２のコーナー部との間に配置され、前記ディスプレーユニットの回動時に前記ディスプレーユニットでディスプレーされる画像の反転のための回動ユニットの第１の検知センサーに連結される第３の配線部材コネクタをさらに含むことを特徴とする請求項１５に記載のヒンジ装置。
【請求項１８】
前記配線部材の一部に形成され、前記第２の電子機器が前記第１の電子機器に対して少なくとも一つ以上の方向へ回転される時，前記配線部材が前記第１の電子機器との接触により破損されることを防止するコーティング剤をさらに含むことを特徴とする請求項１２に記載のヒンジ装置。
【請求項１９】
前記第１及び第２の巻き部は、前記第１及び第２のヒンジ軸を少なくとも１．５回巻くことができる長さで形成されることを特徴とする請求項１３に記載のヒンジ装置。
【請求項２０】
前記第２の巻き部は、前記第２のヒンジ軸を少なくとも３．５回巻くことができる長さで形成されることを特徴とする請求項１３に記載のヒンジ装置。
【請求項２１】
前記配線部材は、前記第２の巻き部と前記第２の配線部材コネクタとを斜めに連結する第４のコーナー部と、
前記第４のコーナー部の内側に設置され、前記第２の巻き部が前記第２のヒンジ軸を巻く時、前記第４のコーナー部に作用する剪断応力により前記第４のコーナー部が損傷されることを防止する補強部材をさらに含むことを特徴とする請求項１２に記載のヒンジ装置。
【請求項２２】
前記第１の電子機器の内部に連結されるように前記第１の巻き部に連結される第１の配線部材コネクタと、
前記第２の電子機器の内部に連結されるように前記第２の巻き部に連結される第２の配線部材コネクタと、
前記第１の配線部材コネクタと前記第１の巻き部と連結し、前記第１のヒンジ軸の主軸方向へ整列させる第３のコーナー部をさらに含むことを特徴とする請求項１３に記載のヒンジ装置。
【請求項２３】
前記第３のコーナー部に設置され、前記第２の巻き部が前記第２のヒンジ軸を巻く時、前記第３のコーナー部に作用する剪断応力により前記第３のコーナー部が損傷されることを防止する金属パターンをさらに含むことを特徴とする請求項２２に記載のヒンジ装置。
【発明の詳細な説明】
【技術分野】
【０００１】
本発明は、ヒンジ装置に係り、より詳しくは、複数の電子機器を複数の回転方向へ互いに相対回転が可能に連結させるヒンジ装置及びそのヒンジ装置に採用される配線部材に関する。
【背景技術】
【０００２】
通常的に、撮影機器、携帯電話、ＰＤＡ、ノート型のパソコン、携帯用音響／映像再生機器などのように使用者が携帯して使用できる携帯用電子機器には、ディスプレーユニットのような別の小型電子機器が回動可能に連結される。前記ディスプレーユニットは、ＬＣＤ（液晶表示）のような映像再生用ディスプレーパネルを含み、携帯用電子機器が多様な姿勢で使用される時、使用者が前記ディスプレーパネルにより再生される画像を視聴できるようにヒンジ装置により少なくとも一つの方向へ回動が可能に携帯用機器本体に連結される。
【０００３】
図１は、上述した携帯用電子機器の中でディスプレーユニットが回動可能に設置されるカムコーダー／デジタルスチルカメラ兼用複合撮影機器を一例で示す図である。
【０００４】
図１を参照すると、携帯用機器１００は、携帯用機器本体１１０と、ヒンジ装置１３０により携帯用機器本体１１０の一側に回動可能に連結されるディスプレーユニット１２０とを含む。ここで、携帯用機器本体１１０は、被写体の撮像のための光学部１１３と、操作ボタン１１５とを含む。また、前記ディスプレーユニット１２０は、ディスプレー駆動部１２２（図３参照）と、ディスプレー駆動部１２２の外郭を取り囲むケーシング１２５とを含む。前記ディスプレー駆動部１２２は、映像を再生するディスプレーパネル１２３及び駆動基板１２６（図３参照）を具備する。
【０００５】
図２は、ディスプレーユニットを携帯用機器本体に二つの軸（Ｘ、Ｙ）を回転中心とする回動が可能に連結する従来のヒンジ装置を一例で示す図である。
【０００６】
図２を参照すると、従来のヒンジ装置１３０は、携帯用機器本体１１０（図１参照）の一側に回動可能に連結される第１のヒンジ部１３１と、ディスプレーユニット１２０（図１参照）の一側に固定され第１のヒンジ部１３１に回動可能に連結される第２のヒンジ部１３５とを含む。参考で、未説明符号１４１は配線部材１４０の先端に別に形成されディスプレーユニット１２０のディスプレー駆動部１２２と連結されるコネクタである。
【０００７】
前記第１のヒンジ部１３１は、ディスプレーユニット１２０が第１のヒンジ軸１３２の主軸方向に沿って延長されるＸ軸を回転中心として開閉される第１及び第２の回転方向（ａ、ｂ）へ回動することが出来るようにディスプレーユニット１２０と携帯用機器本体１１０とを連結する。
【０００８】
また、第２のヒンジ部１３５は、前記ディスプレーユニット１２０が収納部１１７に安着された状態から開放される方向（ａ）へ所定角度回動された状態で、第２のヒンジ軸１３６の主軸方向に沿って延長されるＹ軸を回転中心とする第３及び第４の回転方向（ｃ、ｄ）へ再び回動することが出来るようにディスプレーユニット１２０を携帯用機器本体１１０に連結する。このようなＸ、Ｙ軸が相互直交するようにヒンジ軸１３２、１３６が配置されることが一般的である。
【０００９】
このように構成される従来のヒンジ装置１３０は、ディスプレーユニット１２０を携帯用機器本体１１０に対して複数の方向へ回動可能にすることにより、使用者が多様な姿勢で携帯用機器１００を使用してもディスプレーパネル１２３で再生される画像を容易に視聴できる。
【００１０】
また、ワイヤ形状の配線部材１４０を第１及び第２のヒンジ軸１３２、１３６の貫通孔１３２ａ、１３６ａに挿入させて携帯用機器１００の外部へ配線部材１４０が露出されないようにすることにより、その外観を美麗にすると同時に配線部材１４０が外部に露出される時に発生できる配線部材１４０の損傷を防止することができる。
【００１１】
しかし、従来のヒンジ装置１３０は、その組み立て時に携帯用機器本体１１０とディスプレーユニット１２０とを相互信号伝送が可能に連結するため、第１及び第２のヒンジ軸１３２、１３６の各々に貫通孔１３２ａ、１３６ａを形成させ、その貫通孔１３２ａ、１３６ａにワイヤ形態の配線部材１４０を挿入しなければならないので複雑であった。
【００１２】
一方、携帯用機器１００が一層多様な機能を実行できるように、前記配線部材１４０を通じてディスプレーユニット１２０と携帯用機器本体１１０との間に交換される情報の量が多くなる最近には、上述した配線部材１４０が厚くなると共にコネクタ１４１のサイズも大きくなる必要がある。したがって、携帯用機器１００の製造工程が一層複雑で、小型携帯用電子機器を提供することが困難であった。
【００１３】
また、ディスプレーユニット１２０の回転範囲が大きく設定されるほどワイヤ形態の配線部材１４０が破損される可能性が高くなって、ディスプレーユニット１２０の回転範囲の拡大が困難である問題があった。
【発明の開示】
【発明が解決しようとする課題】
【００１４】
したがって、本発明は、上述したような従来技術の問題点を解決するためになされたもので、その目的は、複数の電子機器を複数の方向へ相対的な回動が可能に連結し、電子機器の外部に配線部材が露出されないようにすると共に、その組立工程が簡素化されるように改選したヒンジ装置及びそのヒンジ装置に使用される配線部材を提供することにある。
【課題を解決するための手段】
【００１５】
前記目的を達成するための本発明による配線部材は、第１の電子機器に回動可能に連結される第１のヒンジ部と前記第１のヒンジ部の第１のヒンジ軸に所定角度で斜めに連結される第２のヒンジ軸を具備する第２のヒンジ部とを含むヒンジ装置により相互連結され、その各々が携帯用機器本体とディスプレーユニットである前記第１及び第２の電子機器を電気的に連結させる配線部材において、前記第１のヒンジ軸の外周面を巻く第１の巻き部と、前記第２のヒンジ軸の外周面を巻く第２の巻き部及び前記第１及び第２の巻き部の各々を連結する連結部とを含むことを特徴とする。
【００１６】
また、前記目的を達成するための本発明によるヒンジ装置は、第１の電子機器に回動可能に連結される第１のヒンジ部と、前記第１のヒンジ部の第１のヒンジ軸に所定角度で斜めに連結される第２のヒンジ軸を具備する第２のヒンジ部と、前記第１及び第２のヒンジ軸の各々の外周面を巻き回した状態で前記第１及び第２のヒンジ軸を順次的に経由して第１及び第２の電子機器を連結する配線部材を含むことを特徴とする。
【発明の効果】
【００１７】
以上のように、本発明によるヒンジ装置及び配線部材によると、従来のように各ヒンジ軸の中央部に貫通孔を形成させ、その貫通孔に配線部材を挿入する等の複雑な工程なしにもディスプレーユニットと携帯用機器本体を携帯用電子機器の外部に配線部材が露出されないように連結することができる。
【００１８】
また、配線部材としてＦＰＣを使用するので、別のコネクタを配線部材の先端に追加設置する必要がないと共に、配線部材の損傷なしにディスプレーユニットの回動範囲を拡大できる効果がある。
【発明を実施するための最良の形態】
【００１９】
以下、添付の図面を参照して本発明の実施例によって詳しく説明する。
【００２０】
参考に、本発明の実施例を説明することにおいて、図１及び図２に図示されて説明された携帯用電子機器の構成要素と同一な構成及び機能を有する携帯用電子機器の構想要素に対しては従来と同一な参照符号を付与してそれに対する詳細な説明は省略する。
【実施例１】
【００２１】
本発明によるヒンジ装置は、相違の第１及び第２の電子機器を互いに傾斜する第１及び第２の回転方向へ回転が可能に連結し、互いに電気的な信号交換が可能に連結する装置である。
【００２２】
図３及び図４は、本発明の実施例によってディスプレーユニット１２０と携帯用機器本体１１０（図１参照）とを相互回動可能に連結させるヒンジ装置２００を示す図である。以下、本発明の理解のため、前記第１の電子機器は携帯用機器本体１１０を一例として説明し、前記第２の電子機器はディスプレーユニット１２０を一例として説明する。
【００２３】
図３及び図４を参照すると、本発明の好ましい実施例によるヒンジ装置２００は、第１のヒンジ部２１０と、第２のヒンジ部２３０と、配線部材２５０と、ケーシング２４０とを含む。未説明符号２４１、２４２、２４３、２４４は、第１の突起、第１の検出センサー、第２の突起及び第２の検出センサーで、ディスプレーユニット１２０が携帯用機器本体１１０に対して回動して所定姿勢になった時、ディスプレーユニット１２０の姿勢に対する検出信号を出力するためのものである。これはディスプレーユニット１２０の姿勢に対応して必要な場合ディスプレーパネル１２３を通じてディスプレーされる画像の上下を反転させるためのものである。上述した構成要素を利用した画像反転は既に公知された技術で、ここではそれに対する具体的な構成と機能に対する説明は省略する。
【００２４】
前記第１のヒンジ部２１０は、ディスプレーユニット１２０が開閉される第１及び第２の方向（ａ、ｂ）へディスプレーユニット１２０を回動可能に支持するためのものである。そのため、前記第１のヒンジ部２１０は、携帯用機器本体１１０の内部に固定される第１の固定部材２１１と、前記第１の固定部材２１１に第１及び第２の方向（ａ、ｂ）へ回転可能に設置される第１のヒンジ軸２１３と、前記第１のヒンジ軸２１３から延長される第１の回動部材２１５とを含む。参考で、本実施例での第１及び第２の方向（ａ、ｂ）は、第１のヒンジ軸２１３の主軸方向に沿って延長される仮想のＸ軸を回転中心とする。
【００２５】
前記第２のヒンジ部２３０は、ディスプレーユニット１２０が収納部１１７（図１参照）から離脱された後、第１のヒンジ軸２１３の回転方向に対して所定傾斜角で傾斜する第３及び第４の方向（ｃ、ｄ）へ回動できるようにするためのものである。このようにディスプレーユニット１２０を回動させるため、前記第２のヒンジ部２３０は、第１の回動部材２１５上に第３及び第４の方向（ｃ、ｄ）へ回転可能に設置される第２のヒンジ軸２３１と、ディスプレーユニット１２０と第２のヒンジ軸２３１を連結する第２の固定部材２３５とを含む。参考で、本実施例での第３及び第４の方向（ｃ、ｄ）とは、第２のヒンジ軸２３１の主軸方向に沿って延長される仮想のＹ軸を回転中心とし、このようなＸ，Ｙ軸は直交することが好ましい。
【００２６】
前記配線部材２５０は、ディスプレーユニット１２０と携帯用機器本体１１０を相互電気的な信号伝送が可能に連結するためのもので、第２のヒンジ軸２３１、第１のヒンジ軸２１３を順次的に経由してディスプレーユニット１２０から携帯用機器本体１１０まで連結する。
【００２７】
一方、ケーシング２４０は、ディスプレーユニット１２０が携帯用機器本体１１０に連結された状態で、ディスプレーユニット１２０と携帯用機器本体１１０との間で露出される第１及び第２のヒンジ部２１０、２３０と配線部材２５０の外郭を取り囲む。
【００２８】
このように構成された本発明によるヒンジ装置２００は、配線部材２５０がディスプレーユニット１２０と携帯用機器本体１１０とを連結する際、第１及び第２のヒンジ軸２１３、２３１を貫通せず第１及び第２のヒンジ軸２３１の外周面を所定回数巻き回した状態で連結することを特徴とする。
【００２９】
そのため、前記ヒンジ装置２００は、内部に金属材のパターンが印刷されて上述した電気的な信号伝送を可能にすると共に両先端にディスプレー駆動部１２２と携帯用機器本体１１０の第１及び第２のコネクタ１１０ｂ、１２４（図５参照）と連結されるコネクタ２５１が一体に形成される。配線部材２５０は自由な折曲が可能なＦＰＣ（フレキシブル  プリンテッド  サーキット）を使用することが好ましい。参考で、前記配線部材２５０の両端は、ディスプレーユニット１２０のケーシング１２５に形成された連結孔１２５ａと、携帯用機器本体１１０の連結部１１９（図１参照）に形成された連結孔（図示せず）を各々貫通してヒンジ装置２００のケーシング２４０内部からディスプレーユニット１２０及び携帯用機器本体１１０の内部に各々延長される。
【００３０】
一方、上述したように、ケーシング２４０がディスプレーユニット１２０と携帯用機器本体１１０との間で露出されるヒンジ装置２００の外郭を取り囲むので、配線部材２５０は携帯用機器１００（図１参照）の外部へ露出されなくなる。
【００３１】
図５及び図６は本発明の第１の実施例による配線部材を示すもので、図５は本発明の第１の実施例による配線部材が組み立てられる前の状態を示す平面図である。
【００３２】
図５及び図６を参照すると、本実施例での配線部材２５０は、第１のヒンジ軸２１３の外周面を巻く第１の巻き部２５３と、第２のヒンジ軸２３１の外周面を巻く第２の巻き部２５５と、第１及び第２の巻き部２５３、２５５を斜めに連結する連結部２５６と、携帯用機器本体１１０及びディスプレーユニット１２０に各々内臓された第１及び第２の電子基板１１０ａ、１２６の第１及び第２のコネクタ１１０ｂ、１２４と連結されるコネクタ２５１とを含む。
【００３３】
ここで、前記連結部２５６の一側端には第１の巻き部２５３と連結される第１のコーナー部２５６ａが形成され、その他側端には第２の巻き部２５５と連結される第２のコーナー部２５６ｂが形成される。また、前記連結部２５６は、第１及び第２のコーナー部２５６ａ、２５６ｂを斜めに連結するためのもので、配線部材２５０の形状によって省略することもできる。未説明符号２５６ｄは、ディスプレーユニット１２０の姿勢によってディスプレーユニット１２０で再生される画像を反転させるための反転ユニットの一部である第１の検出センサー２４４（図３参照）と連結されるように、第１及び第２のコーナー部２５６ａ、２５６ｂとの間の連結部２５６の一側に形成される第３のコネクタである。
【００３４】
図６は、上述したように構成された配線部材２５０がヒンジ装置２００に実蔵された状態を示す図である。
【００３５】
図６を参照すると、配線部材２５０の一部は所定コーティング剤でコーディングされる。これはディスプレーユニット１２０が携帯用機器本体１１０に対して第１ないし第４の回転方向（ａ〜ｄ）へ回動される際、携帯用機器本体１１０と、ケーシング２４０と、ディスプレーユニット１２０と接触されることにより、配線部材２５０が損傷されることを防止し、携帯用機器本体１１０と、ケーシング２４０と、ディスプレーユニット１２０の隙間（Ｉ−Ｉ、  ＩＩ−ＩＩ）内部に位置する部分を外部から観察不可にするためのものである。前記コーティング剤としては樹脂材質の黒いフィルムを使用することが好ましい。
【００３６】
一方、ヒンジ装置２００は、ディスプレーユニット１２０が携帯用機器本体１１０に対して第１ないし第４の回転方向（ａ〜ｄ）へ所定角度以内で回動できるように構成することが好ましい。これは、ディスプレーユニット１２０の過度な回転または一方向への無限定な回転により配線部材２５０がねじれて損傷されることを防止するためのものである。そのため、ヒンジ装置２００は、所定の限定手段により携帯用機器本体１１０に対する回転範囲が決定される。
【００３７】
図４を再参照すると、本実施例のヒンジ装置２００は、ディスプレーユニット１２０が携帯用機器本体１１０の一側に形成された収納部１１７（図１参照）に収納された状態で第１の回転方向（ａ）に沿って１８０°まで回転され、さらに、第３の回転方向（ｃ）に沿って１８０°まで回転できるように限定する。上述した第１及び第２の回転方向（ａ、ｂ）の回転範囲の限定は、ディスプレーユニット１２０が収納部１１７と、収納部１１７の上側に位置した携帯用機器本体１１０の一部分と接触することにより行われる。また、第３及び第４の回転方向（ｃ、ｄ）の回転範囲の限定は、第１のヒンジ部２１０に形成された第１の限定突起２１８と、第２のヒンジ軸２３１上に形成された第２の限定突起２１９の接触により行われる。
【００３８】
このようなディスプレーユニット１２０の回転範囲の限定は、第１及び第２のヒンジ軸２１３、２３１を巻く第１の巻き部２５３および第２の巻き部２５５の最小長さを決定する。即ち、ディスプレーユニット１２０の回転範囲が大きいほど第１及び第２の巻き部２５３、２５５の最小長さが長くなる。これはディスプレーユニット１２０の回動時、第１及び第２の巻き部２５３、２５５の巻回／巻出による配線部材２５０の損傷を防止するためである。一例で、前述したように本実施例では、ディスプレーユニット１２０が第１ないし第４の回転方向（ａ〜ｄ）へ各々１８０°以上回転しないように限定しているので、第１及び第２の巻き部２５３、２５５は、第１及び第２のヒンジ軸２１３、２３１を略１．５回以上巻くことができる長さで形成されて、ディスプレーユニット１２０が携帯用機器本体１１０に対して第１ないし第４の回転方向（ａ〜ｄ）への回転時、配線部材２５０がねじれて損傷されることが抑制できる。
【００３９】
前記巻き部２５３、２５５がヒンジ軸２１３、２３１を各々多く巻くこができる長さで形成されるほどディスプレーユニット１２０の回転が一層容易になり、  巻回／巻出に必要な空間を多く要求しないようになる。しかし、格巻き部２５３、２５５の長さを無限定長く形成することができない。第１及び第２の巻き部２５３、２５５の長さが必要以上長くなる場合、ヒンジ軸２１３、２３１を囲む巻き部２５３、２５５の厚さによりヒンジ装置２００の全体的なサイズが大きくなって図示された携帯用機器１００のような小型電子機器の提供が困難になるためである。
【００４０】
したがって、第１及び第２の巻き部２５３、２５５の長さは、既に設定された回転範囲に合わせてヒンジ装置２００のサイズを最小に形成できると共に、ディスプレーユニット１２０の回動時に損傷されない範囲内で適切に調整する必要がある。特に、第１のヒンジ軸２１３より狭い空間に配置される第２のヒンジ軸２３１を巻く第２の巻き部２５５の場合、上述のような、点を一層考慮しなければならない。そのため、本実施例での第２の巻き部２５５は、第２のヒンジ軸２３１を略３．５回巻くことができる長さで形成される。それによると、ディスプレーユニット１２０の回動時に配線部材２５０の損傷が防止できると共に、第２の巻き部２５５が第２のヒンジ軸２３１の外周面を巻くことによって必要とするサイズを最小化することができる。
【００４１】
一方、図５及び図６を参照すると、第１の巻き部２５３の携帯用機器本体１１０側の先端と、第２の巻き部２５５のディスプレーユニット１２０側の先端の各々には第１及び第２の電子基板１１０ａ、１２６の第１及び第２のコネクタ１１０ｂ、１２４と各々連結されるコネクタ２５１が形成される。このような第１及び第２のコネクタ１１０ｂ、１２４の位置は配線部材２５０の形状を変形させる。図示されるように、第１のコネクタ１１０ｂが第１のヒンジ軸２１３の主軸Ｘに対して直交する仮想の第１の軸Ｘ１上に配置された場合、第１の巻き部２５３の先端に直接コネクタ２５１が形成されるが、第２のヒンジ軸２５５の主軸Ｙ上に第２のコネクタ１２４が配置された場合は、第２の巻き部２５５とコネクタ２５１は第４のコーナー部２５７ｂにより斜めに連結される。
【００４２】
以上のように構成される配線部材２５０は、所定の補強部材２７０をさらに含むことが好ましい。ここで、補強部材２７０は、第２の巻き部２５５が第２のヒンジ軸２３１を巻くことによって第４のコーナー部２５７ｂに剪断応力が作用してその第４のコーナー部２５７ｂが破損されることを防止するためのものである。本実施例での補強部材は、第４のコーナー部２５７ｂの内部に設置され、第１の電子基板１１０ａ  と第２の電子基板１２６との間の信号交換とは関係なく設置される金属材質のパターン形態で形成される。また、その外にも当業者が実施できることであれば、どのような形態の補強部材でもその使用が可能である。
【実施例２】
【００４３】
図７及び図８は、本発明の第２の実施例による配線部材２５０′を示す図である。
【００４４】
図面を参照すると、本実施例での配線部材２５０′は、第１及び第２の巻き部２５３′、２５５′と、連結部２５６′とを有する点においては第１の実施例の場合と同一である。但し、第１及び第２の巻き部２５３′、２５５′の長さが第１の実施例の場合と比較して多少変化があるのでその形状及び各部位の位置が相違である。この時にも、第１及び第２の巻き部２５３′、２５５′の長さは、上述のように、第１及び第２のヒンジ軸２１３、２３１を１．５回以上巻くことができる長さで形成する必要がある。
【００４５】
一方、本実施例では、第１のコネクタ１１０ｂが第１のヒンジ軸２１３の主軸方向と直交する仮想の第１の軸Ｘ１から離隔された位置に配置される。これによって、本実施例による配線部材２５０′は第３のコーナー部２５７ａ′をさらに含む。この場合、第１の実施例での第４のコーナー部２５７ｂと同様に第３のコーナー部２５７ａ′が剪断応力により損傷されることを防止するため補強部材として金属材質のパターン２７０を第３のコーナー部２５７ａ′にさらに設置できることは勿論である。その外にも、前記第３及び第４のコーナー部２５７ｂ′の形状は、第１及び第２のコネクタ１１０ｂ、１２４の位置によって多様に変更実施できる。
【００４６】
以上では、携帯用電子機器のディスプレーユニット用ヒンジ装置の説明においてカムコーダー／デジタルスチルカメラ兼用の複合携帯用機器１００に限定して説明したが、これに限定されることではない。例えば、携帯用電話機、ＰＤＡ、ノートブックコンピュータのように複数の方向へ回転が可能なディスプレーユニットを含む他の種類の携帯用電子機器にもその適用が可能であることは勿論である。
【００４７】
本発明は、本発明の技数的思想から逸脱することなく、他の種々の形態で実施することができる。前述の実施例は、あくまでも、本発明の技数内容を明らかにするものであって、そのような具体例のみに限定して狭義に解釈されるべきものではなく、本発明の精神と特許請求の範囲内で、いろいろと変更して実施することができるものである。
【産業上の利用可能性】
【００４８】
本発明は、携帯電話、ＰＤＡ、ノートブック、デジタルスチルカメラ、カムコーダーのように複数の方向へ回転が可能なディスプレーユニットを含む携帯用電子機器に適用され、携帯用電子機器の構造を簡素化すると共に、内部構成品の損傷も防止することができる。
【図面の簡単な説明】
【００４９】
【図１】通常の携帯用電子機器の一例である携帯用撮影機器を示す外観斜視図である。
【図２】図１に図示した携帯用電子機器のディスプレーユニット用ヒンジ装置の内部構造を示す斜視図である。
【図３】本発明の実施例による携帯用電子機器のディスプレーユニット及びディスプレーユニット用ヒンジ装置の内部構造を示す斜視図である。
【図４】図３のヒンジ装置を示す斜視図である。
【図５】本発明の第１の実施例による配線部材が組み立てる前の状態を示す平面図である。
【図６】図５の配線部材がヒンジ装置に装着される際の状態を示す斜視図である。
【図７】本発明の第２の実施例に拠る配線部材が組み立てられる前の状態を示す平面図である。
【図８】図７の配線部材がヒンジ装置に装着される際の状態を示す斜視図である。
【符号の説明】
【００５０】
１００  携帯用機器
１１０  携帯用機器本体
１１７  収納部
１１９  連結部
１２０  ディスプレーユニット
１２３  ディスプレー駆動部
２００  ヒンジ装置
２１０  第１のヒンジ部
２１３  第１のヒンジ軸
２３０  第２のヒンジ部
２３１  第２のヒンジ軸
２５０、２５０′  配線部材
２５１、２５１′  コネクタ
２５３、２５３′  第１の巻き部
２５５、２５５′  第２の巻き部
２５６、２５６′  連結部
２５６ａ、２５６ａ′  第１のコーナー部
２５６ｂ、２５６ｂ′  第２のコーナー部
２５７ａ′第３のコーナー部
２５７ｂ、２５７ｂ′  第４のコーナー部
２５６ｃ、２５６ｃ′  第５のコーナー部
２４０                ケーシング
【図１】
2004343085.tif 000003
【図２】
2004343085.tif 000004
【図３】
2004343085.tif 000005
【図４】
2004343085.tif 000006
【図５】
2004343085.tif 000007
【図６】
2004343085.tif 000008
【図７】
2004343085.tif 000009
【図８】
2004343085.tif 000010